(57)【要約】【課題】高周波の音域や低周波の音域までの広帯域に亘り容易にスピーカユニットの配列方向の指向性を全体の感度を損なわずに狭くできるアレイ型スピーカ装置を提供すること。【解決手段】本発明のアレイ型スピーカ装置は、長方形のスピーカボックス１２と、スピーカボックス１２に設けられライン状に配列された縦横の長さの異なる複数のスピーカユニット１１とを備え、複数のスピーカユニット１１は、長手方向が互いに平行に配置される構成とした。【選択図】      図１
2004320100.tif 000002
【特許請求の範囲】
【請求項１】
長方形のスピーカボックスと、前記スピーカボックスに設けられライン状に配列された縦横の長さの異なる複数のスピーカユニットとを備え、前記複数のスピーカユニットは、長手方向が互いに平行に配置されることを特徴とするアレイ型スピーカ装置。
【請求項２】
前記複数のスピーカユニットは、中央部のスピーカユニット程再生音圧レベルを大きく再生する電気的な重み付けの設定を行うことを特徴とする請求項１に記載のアレイ型スピーカ装置。
【請求項３】
前記複数のスピーカユニットは、中央部のスピーカユニット程再生音圧レベルを大きく再生する電気的な重み付けの制御を行うことを特徴とする請求項１に記載のアレイ型スピーカ装置。
【請求項４】
前記縦横の長さの異なるスピーカユニットは、長円形または長方形の形状とすることを特徴とする請求項１に記載のアレイ型スピーカ装置。
【請求項５】
長方形のスピーカボックスと、前記スピーカボックスに設けられライン状に配列された縦横の長さの異なる複数のスピーカユニットとを備え、前記複数のスピーカユニットは、長手方向が互いに直線的に配置されることを特徴とするアレイ型スピーカ装置。
【発明の詳細な説明】
【０００１】
【発明の属する技術分野】
本発明は、スピーカユニットをライン状に配列したアレイ型スピーカ装置に関し、特に、高周波の音域や低周波の音域までの広帯域に亘りスピーカユニットの配列方向の指向性を全体の感度を損なわずに容易に狭くできるアレイ型スピーカ装置に関する。
【０００２】
【従来の技術】
従来のアレイ型スピーカ装置は、特定のエリアに強い音圧が得られる指向性を有し、例えば展覧会場のブースで説明を行なう場合や、隣り合う駅のホームで異なるアナウンスを行なう場合に、音声を聞き取り易くするために使用されている（例えば、特許文献１参照）。
【０００３】
図４は、従来のアレイ型スピーカ装置の平面図と断面図を示す。
【０００４】
図４に示すように、従来のアレイ型スピーカ装置３０は、スピーカボックス３２に複数個のスピーカユニット３１がライン状に等間隔で配置され、音の狭指向性を得ている。
【０００５】
このようにライン状にスピーカユニット３１を配置した場合、スピーカボックス３２の配列方向の指向性は狭くなり、特定のエリアで音声を聞き取り易くすることができる。
【０００６】
【特許文献１】
特開平６−２２５３７９号公報
【０００７】
【発明が解決しようとする課題】
以上述べたごとく、従来のアレイ型スピーカ装置３０は、スピーカボックス３２に複数個のスピーカユニット３１がライン状に等間隔で配置され、音の狭指向性を得ている。
【０００８】
しかしながら、従来のアレイ型スピーカ装置３０は、スピーカユニット３１のスピーカユニット間隔Ｐ３よりも音波の波長が短くなる高周波の音域では、サイドローブが発生し配列方向の指向性が広がるため、スピーカユニット３１の口径により配列方向の指向性が左右されてしまうという性質を有する。高周波の音域においても狭い指向性を得るためには、口径の小さいスピーカユニット３１を使用しスピーカユニット間隔Ｐ３を小さくしなければならず、そのため振動面積が減り全体の感度が下がるという問題があった。
【０００９】
また、ピーカユニット３１の配列方向の配列長Ｐ４が長い程、低周波の音域の指向性を狭くできるが、振動面積を維持して全体の感度が下がることなく低周波の音域において狭い指向性を得るためには、スピーカユニット３１を増設しなければならず、構成が複雑となるという問題があった。
【００１０】
本発明は、このような従来の問題を解決するためになされたもので、高周波の音域や低周波の音域までの広帯域に亘りスピーカユニットの配列方向の指向性を全体の感度を損なわずに容易に狭くできるアレイ型スピーカ装置を提供するものである。
【００１１】
【課題を解決するための手段】
本発明のアレイ型スピーカ装置は、長方形のスピーカボックスと、前記スピーカボックスに設けられライン状に配列された縦横の長さの異なる複数のスピーカユニットとを備え、前記複数のスピーカユニットは、長手方向が互いに平行に配置される構成を有している。
【００１２】
この構成により、スピーカユニット間隔を小さくして、高周波の音域までスピーカユニットの配列方向の指向性を全体の感度を損なわずに容易に狭くすることができる。
【００１３】
また、前記複数のスピーカユニットは、中央部のスピーカユニット程再生音圧レベルを大きく再生する電気的な重み付けの設定を行う構成を有している。
【００１４】
この構成により、さらに高周波の音域までスピーカユニットの配列方向の指向性を狭くすることができる。
【００１５】
また、前記複数のスピーカユニットは、中央部のスピーカユニット程再生音圧レベルを大きく再生する電気的な重み付けの制御を行う構成を有している。
【００１６】
この構成により、さらに高周波の音域までスピーカユニットの配列方向の指向性を狭くする調整を行うことができる。
【００１７】
また、前記縦横の長さの異なるスピーカユニットは、長円形または長方形の形状とする構成を有している。
【００１８】
この構成により、縦横の長さの異なるスピーカユニットに的確にすることができる。
【００１９】
さらに、本発明のアレイ型スピーカ装置は、長方形のスピーカボックスと、前記スピーカボックスに設けられライン状に配列された縦横の長さの異なる複数のスピーカユニットとを備え、前記複数のスピーカユニットは、長手方向が互いに直線的に配置される構成を有している。
【００２０】
この構成により、スピーカユニットの配列長を長くして、低周波の音域までスピーカユニットの配列方向の指向性を狭くでき、なおかつ振動面積を確保して全体の感度を損なわないようにすることができる。
【００２１】
【発明の実施の形態】
以下、本発明の実施の形態について、図面を用いて説明する。
【００２２】
図１は、本発明の第１の実施の形態のアレイ型スピーカ装置の平面図と断面図を示す。
【００２３】
図１に示すように、本発明の第１の実施の形態のアレイ型スピーカ装置１０は、横の長さ１１ａと縦の長さ１１ｂが異なる複数個のスピーカユニット１１が、ライン状に等間隔で配置され、長方形のスピーカボックス１２に取付けられている。スピーカユニット１１は、横の長さ１１ａの方向の長手方向が互いに平行に配置されている。
【００２４】
音源のスピーカユニット１１のスピーカユニット間隔Ｐ１が小さいほど、高周波の音域まで線音源理論が成り立ち、高周波の音域までスピーカユニットの配列方向の指向性を狭くできるが、以上のように構成された本発明の第１の実施の形態のアレイ型スピーカ装置１０は、横の長さ１１ａと縦の長さ１１ｂが異なる複数個のスピーカユニット１１が横の長さ１１ａの長手方向を平行にされライン状に等間隔で配置されるため、振動面積を確保または大きくしてスピーカユニット１１のスピーカユニット間隔Ｐ１を小さくでき、高周波の音域までスピーカユニットの配列方向の指向性を狭くすることができる。
【００２５】
なお、図１では、本発明の第１の実施の形態のアレイ型スピーカ装置１０は、スピーカユニット１１が縦方向に等間隔でスピーカボックス１２に配置されているが、そのままスピーカボックス１２を倒し横向きにして使用することもできる。
【００２６】
また、縦横の長さが異なるスピーカユニット１１は、長円形や長方形の形状にすることもできる。
【００２７】
以上のように、本発明の第１の実施の形態のアレイ型スピーカ装置１０は、縦横の長さが異なる複数個のスピーカユニット１１をライン状に長手方向を平行にして等間隔で配置することによって、高周波の音域まで容易にスピーカユニットの配列方向の指向性を全体の感度を損なわずに狭くすることができる。
【００２８】
図２は、本発明の本発明の第１の実施の形態のアレイ型スピーカ装置で使用されるブロック回路図を示す。
【００２９】
図２に示すように、本発明の本発明の第１の実施の形態のアレイ型スピーカ装置１０で使用されるブロック回路は、端子１７に入力する音声信号を増幅する出力アンプ１６と、出力アンプ１６と複数のスピーカユニット１１との間にそれぞれ挿入される複数のアッテネータ１５とで構成されている。
【００３０】
複数のアッテネータ１５は、出力アンプ１６よりの音声信号を減衰し中央部のスピーカユニット１１の音圧が最大となるように設定されている。そのため、中央部のスピーカユニット１１程再生音圧レベルを大きく再生するよう電気的な重み付けが行われており、スピーカユニット１１の配列方向の指向性をさらに狭く設定することもできる。
【００３１】
また、複数のアッテネータ１５の調整を行い、重み付けを変える制御部（図示せず）を設け、自在にスピーカユニット１１の配列方向の指向性を制御することもできる。
【００３２】
図３は、本発明の第２の実施の形態のアレイ型スピーカ装置の平面図と断面図を示す。
【００３３】
図３に示すように、本発明の第２の実施の形態のアレイ型スピーカ装置２０は、縦横の長さが異なる複数個のスピーカユニット２１が、ライン状に等間隔で配置され、長方形のスピーカボックス２２に取付けられている。スピーカユニット２１は、長手方向が同一方向にされ互いに直線的に配置されている。
【００３４】
音源のスピーカユニット２１の配列長Ｐ２が長いほど、低域まで線音源理論が成り立ち、低周波の音域までスピーカユニットの配列方向の指向性を狭くできるが、以上のように構成された本発明の第２の実施の形態のアレイ型スピーカ装置２０は、縦横の長さが異なる複数個のスピーカユニット２１の長手方向が同一方向にされ互いに直線的に等間隔で配置されているため、振動面積を確保または大きくしてスピーカユニット２１の配列長Ｐ２を長くでき、低周波の音域までスピーカユニットの配列方向の指向性を狭くすることができる。
【００３５】
なお、図３では、本発明の第２の実施の形態のアレイ型スピーカ装置２０は、スピーカユニット２１が縦方向に等間隔でスピーカボックス２２に配置されているが、そのままスピーカボックス２２を倒し横向きにして使用することもできる。
【００３６】
さらに、本発明の第２の実施の形態のアレイ型スピーカ装置２０でも、縦横の長さが異なるスピーカユニット２１は、長円形や長方形の形状にすることができる。
【００３７】
以上のように、本発明の第２の実施の形態のアレイ型スピーカ装置２０は、縦横の長さが異なる複数個のスピーカユニット２１の長手方向を同一方向にして互いに直線的に等間隔で配置することによって、低周波の音域まで容易にスピーカユニットの配列方向の指向性を全体の感度を損なわずに狭くすることができる。また、スピーカユニット２１の長手方向を縦方向に配置するため、スピーカボックス２２の幅２０Ｗも細く設定することができる。
【００３８】
【発明の効果】
以上説明したように、本発明によれば、スピーカユニット間隔を小さくして、高周波の音域までスピーカユニットの配列方向の指向性を全体の感度を損なわずに容易に狭くすることができる。
【図面の簡単な説明】
【図１】本発明の第１の実施の形態のアレイ型スピーカ装置の平面図と断面図
【図２】本発明の本発明の第１の実施の形態のアレイ型スピーカ装置で使用されるブロック回路図
【図３】本発明の第２の実施の形態のアレイ型スピーカ装置の平面図と断面図
【図４】従来のアレイ型スピーカ装置の平面図と断面図
【符号の説明】
１０  本発明の第１の実施の形態のアレイ型スピーカ装置
１１、２１  スピーカユニット
１１ａ  スピーカユニットの横の長さ
１１ｂ  スピーカユニットの縦の長さ
１２、２２  スピーカボックス
１５  アッテネータ
１６  出力アンプ
１７  端子
２０  本発明の第２の実施の形態のアレイ型スピーカ装置
Ｐ１  スピーカユニット間隔
Ｐ２  配列長
【図１】
2004320100.tif 000003
【図２】
2004320100.tif 000004
【図３】
2004320100.tif 000005
【図４】
2004320100.tif 000006